(57)【要約】【課題】操作性に優れ使い勝手の良い電気掃除機を提供する。【解決手段】電動送風機が内蔵された掃除機本体と、一端がホース継手を介して前記掃除機本体に接続され他端に吸込把持部を有する可撓性のある集塵ホースと、前記吸込把持部に着脱自在に接続される延長管と、前記延長管に接続される床用吸込具とを備え、前記吸込把持部は、塵埃などが通る第１の管体を形成する手元管と、前記手元管と一体化されハンドル部を構成するグリップ体下と、前記グリップ体下の上方を覆うカバー体とから構成された電気掃除機において、前記第１の管体の後端部から前記ハンドル部の後端部までの長さが、従来のハンドル長さを持つ吸込把持部と比較して、約１．５〜２倍の長さを有することで、吸込把持部の長さ寸法が長尺であっても持ちやすく操作しやすいハンドル形状で強度も確保でき、使用者は使い易い位置を持つことで使い勝手を良くすることが可能。【選択図】図１０
2019000614.tif 000002
【特許請求の範囲】
【請求項１】
電動送風機が内蔵された掃除機本体と、
一端がホース継手を介して前記掃除機本体に接続され他端に吸込把持部を有する可撓性のある集塵ホースと、
前記吸込把持部に着脱自在に接続される延長管と、
前記延長管に接続される床用吸込具とを備え、
前記吸込把持部は、塵埃などが通る第１の管体を形成する手元管と、前記手元管と一体化されハンドル部を構成するグリップ体下と、前記グリップ体下の上方を覆うカバー体とから構成され、
前記第１の管体は、前記延長管の中心軸線と所定の角度で下方向に屈曲形成された曲がりパイプとなっており、
さらに、前記第１の管体には、回転可能に連結される第２の管体を有しており、
前記第２の管体にホース部材が接続されることによって、前記吸込把持部には、ホース部材が回転可能に連結されるようになっている電気掃除機において、
前記第１の管体の後端部から前記ハンドル部の後端部までの長さが、従来のハンドル長さを持つ吸込把持部と比較して、約１．５〜２倍の長さを有していることを特徴とする電気掃除機。
【請求項２】
吸込把持部のグリップ体下の上方を覆うカバー体を、前記グリップ体下に対して溶着または接着等により固定したことを特徴とする請求項１に記載の電気掃除機。
【請求項３】
グリップ体下の上方を覆うカバー体を２分割し、
そのうちハンドル部を構成するグリップ体下の上方を覆うカバー体を、第一のカバー体とし、
手元管の屈曲部近傍から延長管側までの範囲におけるグリップ体下の上方を覆うカバー体を、第二のカバー体とし、
前記一のカバー体と前記第二のカバー体との間にはギャップ部を設けたことを特徴とする請求項２に記載の電気掃除機。
【請求項４】
グリップ体下の上方を覆うカバー体を２分割し、
そのうちハンドル部を構成するグリップ体下の上方を覆うカバー体を、第一のカバー体とし、
手元管の屈曲部近傍から延長管側までの範囲におけるグリップ体下の上方を覆うカバー体を、第二のカバー体とし、
前記第二のカバー体の端部が、前記第一のカバー体の端部を覆うように、
第二のカバー体の端部と前記第一のカバー体の端部をいくらかの寸法の範囲で重ねるようにしたことを特徴とする請求項２に記載の電気掃除機。
【発明の詳細な説明】
【技術分野】
【０００１】
本発明は、電気掃除機に関するものである。
【背景技術】
【０００２】
従来の一般的な電気掃除機においては、電気掃除機本体に接続される掃除機用集塵ホースの吸込把持部の外郭は樹脂部材が使用されており、吸込把持部を構成する手元管とそれを上面から覆うカバー体はネジおよび爪により固定される構造になっており、吸込把持部を上面から覆うカバー体は１部品で構成されている。
【０００３】
構造的には集塵ホースの吸込把持部は床面にある塵埃を吸上げ掃除機本体へ通過する第一の管体から１本のハンドル部を設けてある構造のもの（例えば、特許文献１参照）と、第一の管体にサーベルのように１本のハンドル部とそれとは別にもう１本、第一の管体から突出しており、これがハンドル部の後端と接続されている構造のものがある（例えば、特許文献２参照）。
【０００４】
後者は２本で構成しているため、強度的にもハンドル部は非常に強くできるが、前者は第一の管体から１本の把持部で構成されているため、強度的に弱く、第一の管体とハンドル部の分岐部またはハンドル部もしくはその両方を太く強固な形状にしなければならず、重量的にも重く、使いにくい（握りにくい）ものになっていた。
【０００５】
さらに、吸込把持部を構成する手元管およびカバー体はそれぞれ比較的長い部品のため、その製造上、長さ寸法のばらつきが大きく、手元管とカバー体を組み合わせたとき、寸法が合わず、手元管とカバー体の合わせ面において段差や隙間などの品質的な不具合が起こすことがあった。
【先行技術文献】
【特許文献】
【０００６】
【特許文献１】特開２０００−１５７４６７号公報
【特許文献２】特開２０１６−３００５９号公報
【発明の概要】
【発明が解決しようとする課題】
【０００７】
前述のように集塵ホースの吸込把持部はネジおよび爪により固定されている。集塵ホースに延長管、床用吸込具を取付けて、集塵ホースの吸込把持部のハンドル部を持って操作するとき、ハンドル部に力がかかり、ハンドル部が曲がろうとする力が発生する。そのとき前記力は、前述のネジを取付けるボス部および爪部分に集中する。ボス部および爪部が限界を超えたとき、ボスが折れたり、爪が外れ、ついではハンドル部分が破壊される。
【０００８】
応力を分散させるため、ハンドル部が曲がらないように剛性を上げる必要があり、第一の管体からハンドル部への分岐部分もしくはハンドル部あるいはその両方を太く大きくする必要があり、結果として重くなり、操作しにくく、外観的に見栄えが良くなかった。さらに、ハンドル部の長さを長くする場合、ハンドル部の強度もさらに必要になり、ネジや爪での固定では困難な状況であった。
【０００９】
また、吸込把持部の手元管上面から取付けるカバー体は１部品で構成されており、比較的長さ寸法が長い部品である。この部品が樹脂製部品であるため、製造上、長さ寸法のばらつきが大きく、手元管にカバー体を取付けたとき、手元管とカバー体の長さ寸法を合わ
せることが難しく、手元管とカバー体の合わせ面などに段差、隙間ができるなど、品質の悪いものができる場合があった。
【００１０】
特に、特許文献２に記載されたようなハンドル部を含む吸込把持部の長さ寸法が長尺である場合は、持ちやすく操作しやすいハンドル部形状で強度を確保し、かつ、長さ寸法のばらつきによる品質確保は非常に難しいものがあった。
【００１１】
本発明は、吸込把持部の長さ寸法が長尺であっても、持ちやすく操作しやすいハンドル形状で強度も確保し、かつ、長さ寸法のばらつきを吸収することができる集塵ホースを有する電気掃除機を提供することを目的とする。
【課題を解決するための手段】
【００１２】
上記従来の課題を解決するために、本発明の電気掃除機は、電動送風機が内蔵された掃除機本体と、一端がホース継手を介して前記掃除機本体に接続され他端に吸込把持部を有する可撓性のある集塵ホースと、前記吸込把持部に着脱自在に接続される延長管と、前記延長管に接続される床用吸込具とを備え、前記吸込把持部は、塵埃などが通る第１の管体を形成する手元管と、前記手元管と一体化されハンドル部を構成するグリップ体下と、前記グリップ体下の上方を覆うカバー体とから構成され、前記第１の管体は、前記延長管の中心軸線と所定の角度で下方向に屈曲形成された曲がりパイプとなっており、さらに、前記第１の管体には、回転可能に連結される第２の管体を有しており、前記第２の管体にホース部材が接続されることによって、前記吸込把持部には、ホース部材が回転可能に連結されるようになっている電気掃除機において、前記第１の管体の後端部から前記ハンドル部の後端部までの長さが、従来のハンドル長さを持つ吸込把持部と比較して、約１．５〜２倍の長さを有しているもので、吸込把持部の長さ寸法が長尺であっても、持ちやすく操作しやすいハンドル形状で強度も確保しているため、使用者は使いやすい位置を持つことができ、より操作性に優れた電気掃除機を実現できる。
【発明の効果】
【００１３】
本発明の電気掃除機は、吸込把持部の長さ寸法が長尺であっても、持ちやすく操作しやすいハンドル形状で、軽くて強固な吸込把持部を確保し、集塵ホースの操作性の向上を図った電気掃除機を提供することができる。
【図面の簡単な説明】
【００１４】
【図１】本発明の実施の形態１における電気掃除機の右側面図
【図２】同電気掃除機の収納状態時の右側面図
【図３】同電気掃除機の本体裏面斜視図
【図４】同電気掃除機の延長管の斜視図
【図５】同電気掃除機のホース掛止具の斜視図
【図６】同電気掃除機の吸込把持部の斜視図
【図７】同吸込把持部の分解斜視図
【図８】同吸込把持部の断面図
【図９】同吸込把持部の斜視図
【図１０】同吸込把持部と従来品との比較図
【図１１】同吸込把持部の部品図
【発明を実施するための形態】
【００１５】
第１の発明は、電動送風機が内蔵された掃除機本体と、一端がホース継手を介して前記掃除機本体に接続され他端に吸込把持部を有する可撓性のある集塵ホースと、前記吸込把持部に着脱自在に接続される延長管と、前記延長管に接続される床用吸込具とを備え、前記吸込把持部は、塵埃などが通る第１の管体を形成する手元管と、前記手元管と一体化さ
れハンドル部を構成するグリップ体下と、前記グリップ体下の上方を覆うカバー体とから構成され、前記第１の管体は、前記延長管の中心軸線と所定の角度で下方向に屈曲形成された曲がりパイプとなっており、さらに、前記第１の管体には、回転可能に連結される第２の管体を有しており、前記第２の管体にホース部材が接続されることによって、前記吸込把持部には、ホース部材が回転可能に連結されるようになっている電気掃除機において、前記第１の管体の後端部から前記ハンドル部の後端部までの長さが、従来のハンドル長さを持つ吸込把持部と比較して、約１．５〜２倍の長さを有しているもので、吸込把持部の長さ寸法が長尺であっても、持ちやすく操作しやすいハンドル形状で強度も確保しているため、使用者は使いやすい位置を持つことができ、より操作性に優れた電気掃除機を実現できる。
【００１６】
第２の発明は、特に、第１の発明の吸込把持部のグリップ体下の上方を覆うカバー体を、前記グリップ体下に対して溶着または接着等により固定したもので、吸込把持部のグリップ体下とカバー体が一体化し完全な剛体となるので、強固な吸込把持部を構成することができ、吸込把持部に設けたハンドル部を細くするこが可能となり、持ちやすく操作しやすいハンドル形状を実現でき、操作性に優れた電気掃除機を提供できる。なお、吸込把持部のグリップ体下の上面とカバー体外周の合わせ面の全周または一部に溶着または接着等を施すことで吸込把持部を強固にすることができる。
【００１７】
第３の発明は、特に、第２の発明のグリップ体下の上方を覆うカバー体を２分割し、そのうちハンドル部を構成するグリップ体下の上方を覆うカバー体を、第一のカバー体とし、手元管の屈曲部近傍から延長管側までの範囲におけるグリップ体下の上方を覆うカバー体を、第二のカバー体とし、前記一のカバー体と前記第二のカバー体との間にはギャップ部を設けたもので、長尺な部品の長さ寸法のばらつきおよび、溶着または接着などによる位置ズレのばらつき等を吸収し、第一のカバー体とグリップ体下との合わせ面に段差や隙間などの発生を抑え、より握りやすく、操作性に優れた電気掃除機を実現できる。
【００１８】
第４の発明は、特に、第２の発明のグリップ体下の上方を覆うカバー体を２分割し、そのうちハンドル部を構成するグリップ体下の上方を覆うカバー体を、第一のカバー体とし、手元管の屈曲部近傍から延長管側までの範囲におけるグリップ体下の上方を覆うカバー体を、第二のカバー体とし、前記第二のカバー体の端部が、前記第一のカバー体の端部を覆うように、第二のカバー体の端部と前記第一のカバー体の端部をいくらかの寸法の範囲で重ねるようにしたもので、長尺な部品の長さ寸法のばらつき、および、溶着または接着などによる位置ズレのばらつき等を吸収し、第一のカバー体とグリップ体下との合わせ面に段差や隙間などの発生を抑え、より握りやすく、操作性に優れた電気掃除機を実現できる。
【００１９】
以下、本発明の実施の形態について、図面を参照しながら説明する。なお、この実施の形態によって本発明が限定されるものではない。
【００２０】
（実施の形態１）
図１は、本発明の実施の形態１における電気掃除機の右側面図、図２は、同電気掃除機の収納状態時の右側面図、図３は、同電気掃除機の本体裏面斜視図、図４は、同電気掃除機の延長管の斜視図、図５は、同電気掃除機のホース掛止具の斜視図、図６は、同電気掃除機の吸込把持部の斜視図、図７は、同吸込把持部の分解斜視図、図８は、同吸込把持部の断面図、図９は、同吸込把持部の斜視図、図１０は、同吸込把持部と従来品との比較図、図１１は、同吸込把持部の部品図である。
【００２１】
以下では、電気掃除機１およびその構成要素（構成部品）の説明に関し、便宜上、図１における左側を正面（先端）側、右側を背面（後端）側、上側を上面（上）側、下側を底
面（下）側、手前を右側、奥を左側として説明する。
【００２２】
図１に示すように、本実施の形態における電気掃除機１には、掃除機本体２、集塵ホース３、ホース掛止具４、吸込把持部５、延長管６、床用吸込具７が含まれている。
【００２３】
掃除機本体２は、吸引力を発生させる電動送風機（図示せず）が内蔵されているとともに、集塵部（図示せず）が着脱可能に取付けられている。また、掃除機本体２の底面の前面には、被係止部８（図２、３参照）が設けられている。図２に示すように、掃除機本体２の背面を床に付け、正面を天に向けて電気掃除機１を立てて収納する、いわゆるスタンド収納時において、被係止部８は、延長管６を略垂直状態に保つものであり、延長管６に備えられた係止部としてのフック９（図４参照）を嵌め込むための凹部８ａを形成している。
【００２４】
集塵ホース３は、可撓性を有するホース部材２０とホース継手１０と吸込把持部５を備えている。ホース継手１０は、管状でホース部材２０の一端に回転可能に連結され、さらに掃除機本体２に着脱可能に接続されており、集塵部と連通している。吸込把持部５はホース部材２０の他端部に回転可能に連結されている。
【００２５】
ホース掛止具４は、ポリプロピレン等の弾性を有する合成樹脂製で集塵ホース３に取り付けられる。ホース掛止具４は、図５に示すように、一端に重合係止部１１を、他端に前記重合係止部１１の掛止孔１２に掛止められる掛止フック１３を有し、前記ホース部材２０に巻付固定される環状のホース巻付固定帯体１４と、前記ホース巻付固定帯体１４の外周面に一体成形された掛止部として集塵ホース３の軸方向に突出したフック部１５により構成されている。
【００２６】
さらにホース巻付固定帯体１４の内周面には前記集塵ホース３の外周面に接触して前記ホース巻付固定帯体１４の前記ホース部材２０への巻付保持力を高めるための複数の当りリブ１６を突出形成している。
【００２７】
一方、吸込把持部５の他端には、延長管６が接続され、前記延長管６の先端には床用吸込具７が接続されており、さらに吸込把持部５には電動送風機の電源オン、オフ等使用者が操作を行うための複数のスイッチ５２（図８参照）を備えており、使用者が前記スイッチ５２により電源オン操作を行うと、掃除機本体２内部の電動送風機が駆動し、床用吸込具７の吸込口（図示せず）から吸引風が発生し、床面等に付いている塵埃を吸い取り、延長管６、吸込把持部５、集塵ホース３を介して掃除機本体２内部の集塵部に集塵することが可能である。
【００２８】
尚、延長管６は吸込把持部５に対して着脱自在であるため、延長管６を吸込把持部５から外して、吸込把持部５の開口部３０（図７参照）から塵埃を吸い込むことも可能であり、延長管６から床用吸込具７を取り外し、延長管６の開口部分（図示せず）から塵埃を吸い込むことも可能である。
【００２９】
次に、吸込把持部５の詳細について図６〜１１を用いて説明する。
【００３０】
図６〜図１１において、吸込把持部５は、手元管２１を有し、塵埃などが通る第１の管体３１と使用者が掃除の際に握るハンドル部３３を構成するグリップ体下３４からなる。この第１の管体３１は、図８に示すように、延長管６の中心軸線Ａ１と合致する中心軸線Ｂ１を持ち、延長管６の端部に嵌め合わせて接続されるようになっている。また、第１の管体３１は中心軸線Ｂ１と所定の角度をなす中心軸線Ｂ２を持つように屈曲形成された曲がりパイプとなっている。本実施の形態では、中心軸線Ｂ１と中心軸線Ｂ２とのなす角度
θ１は２５°としている。
【００３１】
また、第１の管体３１と回転可能に連結される第２の管体３２は、図８に示すように、第１の管体３１の中心軸線Ｂ２と合致する中心軸線Ｃ１を持ち、他端にホース部材２０が接続されるようになっている。グリップ体下３４の後端部には前記ホース掛止具４のフック部１５を着脱自在に嵌め込んで掛止する掛止溝孔１７を備えた被係止部１８を形成している。
【００３２】
そして、第２の管体３２が第１の管体３１に相対回転可能であるように挿入されて、かつ、第１の管体３１と第２の管体３２が適宜手段によって外れぬように連結されて、これによって第２の管体３２が第１の管体３１の中心軸線Ｂ２を基準に回転できるように構成されている。
【００３３】
なお、第１の管体３１と第２の管体３２との抜け止め結合手段は任意によるものを採用可能であるが、本実施の形態では、図８に示すように、第２の管体３２に環状溝３６を設けて、第１の管体３１に第２の管体３２を挿入した後、第１の管体３１の開口３７から抜け止め片３８の一部を環状溝３６に挿入することによって、第１の管体３１と第２の管体３２とが外れぬように連結されている。第２の管体３２の他端にはホース部材２０が接続されるようになっている。また、ホース部材２０を、第２の管体３２に取り付けた外周にはホースカバー３９を設けている。
【００３４】
吸込把持部５の上面は、手元管２１のグリップ体下３４の上方を覆い、手元管２１の屈曲部近傍からホース部材２０側に延長管６の略延長方向に延設された第一のカバー体４０と、手元管２１の屈曲部近傍から延長管６側に延長管６の略延長方向に延設された第二のカバー体４１の２つのカバー体で構成されており、第一のカバー体４０と第二のカバー体４１の間にはギャップ部３５を設けている。
【００３５】
ハンドル部３３を構成している手元管２１のグリップ体下３４の第二の外周面５７（図１１参照）と第一のカバー体４０の第一の外周面５６（図１１参照）の一部または全部を溶着もしくは接着等の方法を使用して固定することにより、ひとつの剛体としている。
【００３６】
さらに、前記グリップ体下３４の第二の補強リブ５９等と第一のカバー体４０の第一の補強リブ５８等の一部または全部を外周面同様に溶着もしくは接着等の方法を使用して固定しても良い。前述の第一のカバー体４０と第二のカバー体４１の間にあるギャップ部３５については、検討した結果、本実施の形態では０．５ｍｍ程度となるように設定されている。
【００３７】
第一のカバー体４０の延長管６側端部には外観面より一段落とし込んだ面を持つ延長部４５があり、この延長部４５が第二のカバー体４１の内側に延びており、第一のカバー体４０と第二のカバー体４１とのギャップ部３５から吸込把持部５の内部が見えることはない。本実施の形態では、カバー体を第一のカバー体４０と第二のカバー体４１の二つに分割している例を示したが、カバー体はさらに分割していてもよい。
【００３８】
本実施の形態では、第一のカバー体４０と延長管６の中心軸線Ａ１とのなす角θ２は３５°となるように設定されている。第一のカバー体４０と前記グリップ体下３４との間には、掃除機本体２の電動送風機の運転・停止や、床用吸込具７の電動機の運転・停止を行う制御部５０を収納しており、制御部５０を操作するためのスイッチ操作部５１が設けてある。
【００３９】
ハンドル部３３の長さは、従来の電気掃除機におけるハンドル部の長さより約１．５〜
２倍の長さを有している。本実施の形態における吸込把持部５との比較に為、従来の吸込把持部１００を図１０示す。
【００４０】
尚、従来の電気掃除機におけるハンドル部の長さとは、一般的にスイッチ操作部の中央位置から吸込把持部１００の先端部までの距離と、スイッチ操作部の中央位置からハンドル部１０１の後端部までの距離がほぼ等しい長さに設定してあるもののことをさすものである。
【００４１】
本実施の形態におけるハンドル部３３は、従来のハンドル部１０１の約２倍の長さを有しており、ハンドル部３３の後端に第一のグリップ部４３を、ハンドル部３３の前端に第二のグリップ部４４を夫々有しており、第一のグリップ部４３と第二のグリップ部４４の間にスイッチ操作部５１を配置している。
【００４２】
スイッチ操作部５１は、複数のスイッチ５２から構成されており、スイッチ５２の使用頻度の高い掃除機本体２の電動送風機を制御するスイッチ５２ａより、使用頻度の低い床用吸込具７の電動機スイッチ５２ｂをハンドル部３３の第一のグリップ部４３から遠くに配置している。
【００４３】
第１の管体３１の延長管６側の上方と第二のカバー体４１との間には、延長管６の給電線（図示せず）に接続した端子（図示せず）を着脱自在に接続する端子（図示せず）と、制御部５０（図示せず）からリード線（図示せず）により給電され、抵抗器（図示せず）と光源（図示せず）を搭載した光源制御部５３とを備え、延長管６を第１の管体３１に連結するためのフック体６１をバネ５５により保持している。
【００４４】
光源制御部５３は、第１の管体３１に備えられたリブ２６により保持され、第二のカバー体４１により挟み込むことで固定される。光源制御部５３に搭載された光源（図示せず）はレンズ５４を介して照射され、レンズ５４は、第二のカバー体４１の凹部４２に挟み込むことで保持される。また、第１の管体３１の屈曲部近傍と第一のカバー体４０との間には、ホース部材２０の給電線から制御部５０へ給電するためのリード線を保持している。上記全てのリード線は、第１の管体３１に備えられたリブ（図示せず）により挟み込むことで保持される。
【００４５】
また、吸込把持部５の上面を覆う第一のカバー体４０および第二のカバー体４１については、第一のカバー体４０の第二のカバー体４１側の端部形状を一段落とし込むことなく、前記第一のカバー体４０の前記端部を覆うように第二のカバー体４１を取付けることにより、前述のギャップ部３５を設けることなく構成でき、第一のカバー体４０と第二のカバー体４１をいくらかの寸法を重ねて配置することにより、前述の第一のカバー体４０の長さ寸法のばらつきを吸収することも、前述の溶着または接着等による位置ズレなどのばらつきも吸収できる。前記構成をなすことで、同様の効果を得ることができる。
【００４６】
以上のように、本実施の形態における電気掃除機１において、吸込把持部５のハンドル部３３を構成するグリップ体下３４と第一のカバー体４０を溶着または接着等により固定し、剛体化することにより、軽くても強度のある吸込把持部５を備え、また、前記第一のカバー体４０と前記第一のカバー体４０に連接する第二のカバー体４１との間にギャップ部３５を設け、第一のカバー体４０の製造時における長さ寸法のばらつきおよび溶着または接着等による位置ズレによるばらつきを吸収し、前記グリップ体下３４と第一のカバー体４０との合わせ面に段差や隙間などが発生しない持ちやすい吸込把持部５を備えることで、電気掃除機１の操作性を向上させることができる。
【００４７】
この発明は、以上の実施の形態の内容に限定されるものではなく、請求項記載の範囲内
において種々の変更が可能である。
【産業上の利用可能性】
【００４８】
本発明に係る電気掃除機は、軽くて強固な吸込把持部を確保し、集塵ホースの操作性を大幅に向上できるもので、家庭用、業務用を問わず各種電気掃除機に適用することができる。
【符号の説明】
【００４９】
１  電気掃除機
２  掃除機本体
３  集塵ホース
４  ホース掛止具
５  吸込把持部
６  延長管
７  床用吸込具
８、１８  被係止部
８ａ、４２  凹部
９  フック（係止部）
１０  ホース継手
１１  重合係止部
１２  掛止孔
１３  掛止フック
１４  ホース巻付固定帯体
１５  フック部（掛止部）
１６  当りリブ
１７  掛止溝孔
２０  ホース部材
２１  手元管
２６  リブ
３０  開口部
３１  第１の管体
３２  第２の管体
３３  ハンドル部
３４  グリップ体下
３５  ギャップ部
３６  環状溝
３７  開口
３８  抜け止め片
３９  ホースカバー
４０  第一のカバー体（カバー体）
４１  第二のカバー体（カバー体）
４３  第一のグリップ部（グリップ部）
４４  第二のグリップ部（グリップ部）
４５  延長部
５０  制御部
５１  スイッチ操作部
５２、５２ａ  スイッチ
５２ｂ  電動機スイッチ
５３  光源制御部
５４  レンズ
５５  バネ
５６  第一の外周面
５７  第二の外周面
５８  第一の補強リブ
５９  第二の補強リブ
６１  フック体
【図１】
2019000614.tif 000003
【図２】
2019000614.tif 000004
【図３】
2019000614.tif 000005
【図４】
2019000614.tif 000006
【図５】
2019000614.tif 000007
【図６】
2019000614.tif 000008
【図７】
2019000614.tif 000009
【図８】
2019000614.tif 000010
【図９】
2019000614.tif 000011
【図１０】
2019000614.tif 000012
【図１１】
2019000614.tif 000013